(57)【要約】【課題】上下一対の掻込ベルトにより穀稈を掻込搬送する構成とし、掻込搬送性能の向上によってコンバインの刈取作業の能率を高める。【解決手段】穀稈掻込搬送装置（１３）を、後側下部プーリ（１３ａ）と前側下部プーリ（１３ｂ）に巻き掛けられた下部掻込ベルト（１３ｄ）と、後側上部プーリ（１３ｅ）と前側上部プーリ（１３ｆ）に巻き掛けられた上部掻込ベルト（１３ｈ）と、下部掻込ベルト（１３ｄ）に対向配置された下部ガイド杆（１３ｉ）と、上部掻込ベルト（１３ｈ）に対向配置された上部ガイド杆（１３ｊ）と、後側下部プーリ（１３ａ）の下方に設けたスターホイル（３２）とで構成する。【選択図】図５
2009142214.tif 000002
【特許請求の範囲】
【請求項１】
穀稈を分草する分草体（１１）と、該分草体（１１）で分草された穀稈を引き起こす穀稈引起し装置（１２）と、該穀稈引起し装置（１２）で引き起こされた穀稈を掻込搬送する穀稈掻込搬送装置（１３）と、該穀稈掻込搬送装置（１３）で掻き込まれた穀稈を切断する刈刃装置（１４）を設け、前記穀稈掻込搬送装置（１３）を、後側下部プーリ（１３ａ）と前側下部プーリ（１３ｂ）に巻き掛けられていて掻込ラグ（１３ｃ，…）を備えた下部掻込ベルト（１３ｄ）と、後側上部プーリ（１３ｅ）と前側上部プーリ（１３ｆ）に巻き掛けられていて掻込ラグ（１３ｇ，…）を備えた上部掻込ベルト（１３ｈ）と、前記下部掻込ベルト（１３ｄ）に対向配置されている弾性材からなる下部ガイド杆（１３ｉ）と、前記上部掻込ベルト（１３ｈ）に対向配置されている弾性材からなる上部ガイド杆（１３ｊ）と、前記後側下部プーリ（１３ａ）の下方に設けたスターホイル（３２）とで構成したことを特徴とするコンバインの刈取装置。
【請求項２】
前記後側下部プーリ（１３ａ）及び該後側下部プーリ（１３ａ）と同径の後側上部プーリ（１３ｅ）を後側プーリ軸（３１）に取り付け、前記下部掻込ベルト（１３ｄ）の前側端部よりも前記上部掻込ベルト（１３ｈ）の前側端部を前方へ突出させて設け、前記下部掻込ベルト（１３ｄ）の前側端部を穀稈通路の外側寄りに配置し、前記上部掻込ベルト（１３ｈ）の前側端部を穀稈通路の内側寄りに配置し、前記スターホイル（３２）の直径を前記後側下部プーリ（１３ａ）の直径よりも大きく構成したことを特徴とする請求項１記載のコンバインの刈取装置。
【発明の詳細な説明】
【技術分野】
【０００１】
本発明は、コンバインの刈取装置に関するものである。
【背景技術】
【０００２】
コンバインの刈取装置に備える掻込搬送装置として、支持アームに回転自在に軸支する回転軸の両端に、穀稈を掻き込む掻込回転体を設け、この支持アームの回転軸両端部に皿状の固定カバーを設け、この固定カバーと各掻込回転体との間に回転自在のカラーを介装し、穀稈巻き付きを防止するものは公知である（特許文献１）。
【０００３】
また、コンバインの刈取装置において、圃場の穀稈を刈取部に掻き込んで連続的に刈り取ると共に、刈刃、引越しタイン、スターホイル、掻込ベルト、下部搬送チェンを備え、下部のスターホイルと上部の単一の掻込ベルトにより穀稈を掻き込むものは、公知である（特許文献２）。
【特許文献１】特開平８−１７２８５７号公報
【特許文献２】特開２００１−２９９０５０号公報
【発明の開示】
【発明が解決しようとする課題】
【０００４】
特許文献２の穀稈掻込搬送装置は、スターホイルの上方に位置している単一の掻込ベルトにより穀稈を掻き込むものにあっては、穀稈が倒伏していると、掻込ベルトによる掻込搬送能力が低下し、特に短穀稈の場合にはこの傾向が顕著であった。
【０００５】
そこで、本発明は、分草杆で分草した植立穀稈を穀稈引起し装置により引き起し、次いで穀稈掻込搬送装置により掻込搬送するコンバインにおいて、上下一対の穀稈掻込搬送装置を設けることにより、穀稈の掻込搬送能力を高めようとするものである。
【課題を解決するための手段】
【０００６】
請求項１の発明は、穀稈を分草する分草体（１１）と、該分草体（１１）で分草された穀稈を引き起こす穀稈引起し装置（１２）と、該穀稈引起し装置（１２）で引き起こされた穀稈を掻込搬送する穀稈掻込搬送装置（１３）と、該穀稈掻込搬送装置（１３）で掻き込まれた穀稈を切断する刈刃装置（１４）を設け、前記穀稈掻込搬送装置（１３）を、後側下部プーリ（１３ａ）と前側下部プーリ（１３ｂ）に巻き掛けられていて掻込ラグ（１３ｃ，…）を備えた下部掻込ベルト（１３ｄ）と、後側上部プーリ（１３ｅ）と前側上部プーリ（１３ｆ）に巻き掛けられていて掻込ラグ（１３ｇ，…）を備えた上部掻込ベルト（１３ｈ）と、前記下部掻込ベルト（１３ｄ）に対向配置されている弾性材からなる下部ガイド杆（１３ｉ）と、前記上部掻込ベルト（１３ｈ）に対向配置されている弾性材からなる上部ガイド杆（１３ｊ）と、前記後側下部プーリ（１３ａ）の下方に設けたスターホイル（３２）とで構成したことを特徴とするコンバインの刈取装置とする。
【０００７】
上記構成によると、分草体１１により穀稈通路に案内された植立穀稈は、穀稈引起し装置１２により引き起こされ、次いで、上下一対の下部掻込ベルト１３ｄの掻込ラグ１３ｃ，…及び上部掻込ベルト１３ｈの掻込ラグ１３ｇ，…により掻き込まれ、次いで、下部掻込ベルト１３ｄの掻込ラグ１３ｃ，…と下部ガイド杆１３ｉ、及び、上部掻込ベルト１３ｈの掻込ラグ１３ｇ，…と上部ガイド杆１３ｊにより、植立穀稈の根元側及び穂先側の双方が弾圧的に挟持されながら後方に掻込搬送され、スターホイル３２により掻き込まれる。
【０００８】
請求項２の発明は、前記後側下部プーリ（１３ａ）及び該後側下部プーリ（１３ａ）と同径の後側上部プーリ（１３ｅ）を後側プーリ軸（３１）に取り付け、前記下部掻込ベルト（１３ｄ）の前側端部よりも前記上部掻込ベルト（１３ｈ）の前側端部を前方へ突出させて設け、前記下部掻込ベルト（１３ｄ）の前側端部を穀稈通路の外側寄りに配置し、前記上部掻込ベルト（１３ｈ）の前側端部を穀稈通路の内側寄りに配置し、前記スターホイル（３２）の直径を前記後側下部プーリ（１３ａ）の直径よりも大きく構成したことを特徴とする請求項１記載のコンバインの刈取装置とする。
【０００９】
上記構成によると、分草体１１で引き起こされた植立穀稈の外側寄りの根元側を下部掻込ベルト１３ｄに、内側寄りの穂先側を上部掻込ベルト１３ｈに引き継ぎながら掻込搬送することができる。また、下部掻込ベルト１３ｄ及び上部掻込ベルト１３ｈにより掻込搬送される穀稈に対して掻込速度の速いスターホイル３２により穀稈を確実に取り込むことができる。
【発明の効果】
【００１０】
請求項１記載の発明によると、穀稈の根元側を下部掻込ベルト１３ｄの掻込ラグ１３ｃ，…と下部ガイド杆１３ｉにより、穂先側を上部掻込ベルト１３ｈの掻込ラグ１３ｇ，…と上部ガイド杆１３ｊにより掻き込み、この穀稈の根元側及び穂先側の双方が弾圧的に挟持されながら後方に掻込搬送されて、スターホイル３２で掻き込まれるため、穀稈のこぼれが少なくなって取り込みが確実化し、特に短い穀稈に対する掻込搬送性能を向上させることができ、コンバインによる刈取作業の能率を高めることができる。
【００１１】
請求項２の発明は、請求項１記載の発明の効果に加えて、穀稈の外側寄りの根元側を下部掻込ベルト１３ｄに、内側寄りの穂先側を上部掻込ベルト１３ｈに確実に引き継ぐことができ、短い穀稈の掻込搬送性能を向上させて、コンバインによる刈取作業の能率を更に向上させることができる。
【発明を実施するための最良の形態】
【００１２】
まず、図１に基づき本発明を具備するコンバインの全体構成について説明する。図１はコンバインの全体側面図である。
コンバインの走行車台１の下方には左右走行クローラ２，２を配設し、走行車台１上の右側前部に操縦部３を、操縦部３の後方にグレンタンク４を、左側部に脱穀部５を搭載し、走行車台１の前側部には刈取搬送部６を昇降自在に設けている。この刈取搬送部６には、図２に示すように、複数の分草体１１，…、穀稈引起し装置１２、…、穀稈掻込搬送装置１３、刈刃装置１４、穀稈集送搬送装置１５、穀稈搬送装置１６等を設けている。
【００１３】
前記構成により、コンバインの回転各部を駆動走行し刈取作業を開始すると、走行クローラ２，２が回転してコンバインは走行を開始する。すると、圃場の穀稈は刈取搬送部６の前側部の分草体１１，…により穀稈条列毎に分草されながら穀稈引起し装置１２，…に案内され、引起しラグにより引き起される。引起された穀稈は穀稈掻込搬送装置１３により掻き込まれて刈刃装置１４で刈り取られ、穀稈集送搬送装置１５に左右両側から中央部に集められ、次いで、穀稈搬送装置１６により後方に搬送され、脱穀部５のフィードチェンに引き継がれ脱穀される。
【００１４】
次に、図２乃至図５に基づき刈取搬送部６について具体的に説明する。
刈取搬送部６の後側部には、伝動装置の内装されている平面視略Ｔ字型の刈取搬送フレーム２１を設け、この刈取搬送フレーム２１の前側部から前方に向けて刈刃フレーム１４ａを延出し、この刈刃フレーム１４ａから複数の分草体１１，…を前方に延出している。また、刈刃フレーム１４ａの前側部には、左右方向の引起し下部フレーム１２ａを取り付けている。また、刈取搬送フレーム２１の後部から引起し後部フレーム１２ｂを前方上方に向けて延出し、引起し後部搬送フレーム２１ｂの前側端部に左右両側に沿った引起し上部フレーム１２ｃを設けている。そして、この引起し下部フレーム１２ａと引起し上部フレーム１２ｃとにより、穀稈引起し装置１２の複数の引起しケース１２ｄ，…を分草体１１，…の後方に位置するように支持している。また、刈刃フレーム１４ａには刈刃装置１４を取り付け、穀稈引起し装置１２で引き起こされ、後述の穀稈掻込搬送装置１３，…により掻き込まれた穀稈を刈り取るように構成している。
【００１５】
また、刈取搬送フレーム２１の前側部には左右両側及び中央部に集送フレーム１５ａ，…を設け、集送フレーム１５ａ，…に穀稈集送搬送装置１５，…を設けている。また、集送フレーム１５ａ，…から前方に延出した掻込搬送フレーム１３ｍに穀稈掻込搬送装置１３，…を取り付けている。
【００１６】
次に、穀稈掻込搬送装置１３，…について具体的に説明する。穀稈掻込搬送装置１３，…は、穀稈の条数（Ｋ）にそれぞれに対応するように、７条型では７個の穀稈掻込搬送装置１３，…設けている。
【００１７】
この穀稈掻込搬送装置１３は、図２、図５及び図６に示すように、後側下部プーリ１３ａと前側下部プーリ１３ｂに巻き掛けられていて且つ掻込ラグ１３ｃ，…を所定間隔毎に有する下部掻込ベルト１３ｄと、後側上部プーリ１３ｅと前側上部プーリ１３ｆに巻き掛けられていて且つ掻込ラグ１３ｇ，…を所定間隔毎に有する上部掻込ベルト１３ｈと、下部掻込ベルト１３ｄの掻込ラグ１３ｃに対向配置されている弾性材からなる下部ガイド杆１３ｉと、上部掻込ベルト１３ｈの掻込ラグ１３ｇに対向配置されている弾性材からなる上部ガイド杆１３ｊと、後側下部プーリ１３ａの下方に位置するスターホイル３２，…とで、構成されている。
【００１８】
前記構成によると、分草杆１１から案内された植立穀稈は、下部掻込ベルト１３ｄの掻込ラグ１３ｃと下部ガイド杆１３ｉ、及び、上部掻込ベルト１３ｈの掻込ラグ１３ｇと上部ガイド杆１３ｊにより、根元側及び穂先側の双方が弾圧的に挟持されながら後方に掻込搬送され、穀稈の取り込みが確実化し、短い穀稈の掻込搬送性能を向上させることができる。
【００１９】
また、前記掻込搬送フレーム１３ｍ，…には後側プーリ軸３１，…を上下方向に軸架し、この後側プーリ軸３１，…の下部に後側下部プーリ１３ａを、上部に後側上部プーリ１３ｅをそれぞれカラーを介して軸架している。後側下部プーリ１３ａの下方には略同径の円形プレート３３、スターホイル３２を配置し、ボルト・ナットで後側下部プーリ１３ｅに一体的に固着している。
【００２０】
前記構成によると、コンパクトに構成できて、後側下部プーリ１３ｅへの草類の巻き付きを防止することができる。
また、後側プーリ軸３１，…には、同径の後側下部プーリ１３ａ及び上部プーリ１３ｅと取り付け、下部掻込ベルト１３ｄよりも上部掻込ベルト１３ｈを前方へ突出するように長く構成している。
【００２１】
前記構成によると、下部掻込ベルト１３ｄ及び上部掻込ベルト１３ｈの掻込搬送速度を同じして、上部掻込搬送ベルト１３ｈにより根元側よりも穂先側を先行して掻き込むので、穂先側の掻込搬送遅れを防止し短穀稈の掻込搬送性能を高めることができる。また、後側下部プーリ１３ａと上部プーリ１３ｅの部品を共用化することができ、コストの低減を図ることができる。
【００２２】
また、後側プーリ軸３１，…には、同径の後側下部プーリ１３ａ及び上部プーリ１３ｅと取り付け、下部掻込ベルト１３ｄよりも上部掻込ベルト１３ｈを前方へ突出するように長く構成し、下部掻込ベルト１３ｄの先端を平面視で外側寄りに、上部プーリ１３ｅの先端を内側寄りに位置させて、下部掻込ベルト１３ｄの搬送方向を上部掻込ベルト１３ｈの搬送方向よりも所定角度外側に退避させ、前側下部プーリ１３ｂの直径を前側上部プーリ１３ｆの直径よりも小さくし、分草杆１１の案内方向に上部掻込ベルト１３ｈの掻込搬送方向を略沿わせるように構成し、スターホイル３２の掻込突起３２ａを後側下部プーリ１３ａの外周よりも突出させて長くし、下部掻込ベルト１３ｄ及び上部掻込ベルト１３ｈの前後方向中途部まで延出するように構成している。
【００２３】
前記構成によると、分草体１１から案内された穀稈の穂先側を内側寄りの上部掻込ベルト１３ｈに円滑に引き継ぐことができ、穀稈の根元側を外側寄りの下部掻込ベルト１３ｄに円滑に引き継ぐことができる。また、下部掻込ベルト１３ｄ及び上部掻込ベルト１３ｈの掻込搬送速度よりも速いスターホイル３２により穀稈の取り込みが良くなり、短穀稈の掻込搬送性能を向上させることができる。また、前側下部プーリ１３ｂの直径を前側上部プーリ１３ｆの直径よりも小さく構成しているので、下部掻込ベルト１３ｄの非作用側への張り出しを少なくし、コンパクトに構成することができる。
【００２４】
また、後側下部プーリ１３ａと前側下部プーリ１３ｂに巻き掛けている下部掻込ベルト１３ｄの掻込ラグ１３ｃ，…の突出長さを、後側上部プーリ１３ｅと前側上部プーリ１３ｆに巻き掛けている上部掻込ベルト１３ｈの掻込ラグ１３ｇ，…の突出長さよりも短く構成し、また、前側上部プーリ１３ｆの軸心と前側下部プーリ１３ｂの軸心を、左右方向に接近させ、前後方向に離間し前側上部プーリ１３ｆを前方に配設している。
【００２５】
前記構成によると、穀稈の穂先側よりも根元側がスターホイル３２の中心側に接近するので、スターホイル３２の根元側の取り込みが良くなり、短穀稈の掻込搬送性能を向上させることができる。また、下部掻込ベルト１３ｄの非作用側への張り出しを少なくすることができて、フレーム部への干渉を回避することができる。
【００２６】
また、上部掻込ベルト１３ｈの掻込ラグ１３ｇに対向して弾性材の上部ガイド杆１３ｊを配設するにあたり、掻込搬送フレーム１３ｍに上部ガイド杆１３ｈの前側端部を取り付け、その中途部を上部掻込ベルト１３ｈのやや上方位置を沿うようにしながら後方に延出している。また、下部掻込ベルト１３ｄの掻込ラグ１３ｃに弾性材からなる下部ガイド杆１３ｉを対向配置するにあたり、掻込搬送フレーム１３ｍに下部ガイド杆１３ｉの前側端部を取り付け、中途部を下り傾斜で後方に延出して下部掻込ベルト１３ｄの掻込搬送始端部の上方部位近傍に接近させ、次いで、後側部を下部掻込ベルト１３ｄのやや上方に沿わせながら後方へ延出し、後側端部をスターホイル３２の掻込突起３２ａの上方に臨ませている。
【００２７】
前記構成によると、上部ガイド杆１３ｊ及び下部ガイド杆１３ｉにより穀稈全体を上部掻込ベルト１３ｈ及び下部掻込ベルト１３ｄに押圧しながら誘導案内することができる。また、下部ガイド杆１３ｉにより下部掻込ベルト１３ｄ及びスターホイル３２に穀稈の根元側を誘導案内することができ、穀稈の掻込搬送性能を高めることができる。
【００２８】
次に、図７に基づき標準穀稈用と短穀稈用に変換する穀稈掻込搬送装置１３の他の実施形態ついて説明する。
この短穀稈用の穀稈掻込搬送装置１３は、図７（Ａ）、（ｃ）に示すように、掻込搬送フレーム１３ｍに軸架している後側上部プーリ１３ｅ、前側上部プーリ１３ｆと、後側上部プーリ１３ｅと前側上部プーリ１３ｆに巻き掛けられていて且つ掻込ラグ１３ｇ，…を所定間隔毎に有する上部掻込ベルト１３ｈと、スターホイル３２、上部掻込ベルト１３ｈの掻込ラグ１３ｇに対向配置されている弾性材からなる上部ガイド杆１３ｊで構成されている。
【００２９】
また、掻込搬送フレーム１３ｍには後側プーリ軸３１の上下方向中間部を回転自在に支架し、後側プーリ軸３１の上下方向中間部にカラー３６を介して駆動用スプロケット３８を一体回転するように取り付け、後側プーリ軸３１の上部にはカラー３６ａを介して後側上部プーリ１３ｅを一体回転するように取り付け、軸３１の下端部にはカラー３６ｂを介してスターホイル３２を一体回転するように取り付けている。また、駆動用スプロケット３８とスターホイル３２との間には、巻付防止用のカラー３９を設け、駆動用スプロケット３８と後側上部プーリ１３ｅとの間に巻付防止用のカラー３９ａを配設している。
【００３０】
そして、短穀稈用の穀稈掻込搬送装置１３を標準穀稈用に変更する場合には、図７（Ｂ）に示すように、調節カラー４１及び調節用の巻付防止カラー４２、ボルト調節用のカラー４３を介装し、後側上部プーリ１３ｅ、上部掻込ベルト１３ｈを上方に調節してボルトで取り付けるように構成している。
【００３１】
前記構成によると、短穀稈用に変更する場合には、標準型から調節カラー４１、調節用の巻付防止カラー４２及びボルト調節用のカラー４３を取り外し、後側上部プーリ１３ｅ及び上部掻込ベルト１３ｈを下方に調節することにより、容易に対応でき、短穀稈の刈取開始部での掻込搬送性能を高めることができる。
【００３２】
また、図８に示すように、短穀稈の刈取作業時には、カラー３６ｂの下端部にスペーサ３７を介装してスターホイル３２を取り付けると、短穀稈の掻込搬送性能を更に高めることができる。
【００３３】
次に、穀稈集送搬送装置１５，…について説明する。
穀稈集送搬送装置１５，…は、図２に示すように、左右集送搬送装置１５ｂ，１５ｃ、中央集送搬送装置１５ｄ，１５ｅにより構成し、これらはそれぞれ根元搬送部及び穂先搬送部を備えている。左右集送搬送装置１５ｂ，１５ｃと左右両側端の前記穀稈掻込搬送装置１３，…との間に、根元側搬送用の中継集送搬送装置１５ｆ，１５ｇを設けている。
【００３４】
そして、集送搬送フレーム１５ａ，…から伝動用の動力を取り出して、前記集送搬送装置１５ｂ，１５ｃ，１５ｄ，１５ｅに伝達し、更に、集送搬送装置１５ｂ，１５ｃから中継集送搬送装置１５ｆ，１５ｇ、前記駆動用スプロケット３８，３８を経由して穀稈掻込搬送装置１３，…に動力を伝達している。また、一部の穀稈掻込搬送装置１３，…には刈刃フレーム１４ａから取り出した伝動装置４６を介して動力を伝達している。
【図面の簡単な説明】
【００３５】
【図１】コンバインの全体側面図
【図２】一部省略した刈取搬送部の平面図
【図３】刈取搬送部の一部省略した正面図
【図４】刈取搬送部の一部省略した側面図
【図５】刈取搬送部の一部の平面図
【図６】刈取搬送部の一部の側面図
【図７】穀稈掻込搬送装置の平面図、側面図
【図８】穀稈掻込搬送装置の側面図
【符号の説明】
【００３６】
６      刈取搬送部
１１      分草体
１２      穀稈引起し装置
１３      穀稈掻込搬送装置
１３ａ    後側下部プーリ
１３ｂ    前側下部プーリ
１３ｃ    掻込ラグ
１３ｄ    下部掻込ベルト
１３ｅ    後側上部プーリ
１３ｆ    前側上部プーリ
１３ｇ    掻込ラグ
１３ｈ    上部掻込ベルト
１３ｉ    下部ガイド杆
１３ｊ    上部ガイド杆
１４      刈刃装置
３２      スターホイル
【図１】
2009142214.tif 000003
【図２】
2009142214.tif 000004
【図３】
2009142214.tif 000005
【図４】
2009142214.tif 000006
【図５】
2009142214.tif 000007
【図６】
2009142214.tif 000008
【図７】
2009142214.tif 000009
【図８】
2009142214.tif 000010